(57)【特許請求の範囲】
【請求項１】
入力オーディオ信号が、リスナの周囲に配置された第１〜第６のスピーカにそれぞれ供給されて所定のステレオ再生音場を形成する６チャンネルのオーディオ信号であるとともに、
ＳLF ：上記リスナの左前方チャンネルのオーディオ信号
ＳRF ：上記リスナの右前方チャンネルのオーディオ信号
ＳCF ：上記リスナの中央前方チャンネルのオーディオ信号
ＳLB ：上記リスナの左後方（あるいは左側方）チャンネルのオーディオ信号
ＳRB ：上記リスナの右後方（あるいは右側方）チャンネルのオーディオ信号
ＳLFE：方向感を与えない低域成分のオーディオ信号
であるとき、
上記オーディオ信号ＳLF、ＳRFに、上記オーディオ信号ＳCFをそれぞれ加算する第１および第２の加算回路と、
これら第１および第２の加算回路の出力オーディオ信号に所定の変換処理を行って第１の左および右チャンネルのオーディオ信号を出力する第１の変換回路と、
上記オーディオ信号ＳLB、ＳRBに所定の変換処理を行って第２の左および右チャンネルのオーディオ信号を出力する第２の変換回路と、
上記オーディオ信号ＳLF、ＳRF、ＳCF、ＳLB、ＳRBから上記オーディオ信号ＳLFEと等しい帯域の低域成分のオーディオ信号をそれぞれ取り出す第１〜第５のローパスフィルタと、
これら第１〜第５のローパスフィルタの出力オーディオ信号と上記オーディオ信号ＳLFEとを加算して低域成分の加算オーディオ信号を出力する第３の加算回路と、
上記第１の変換回路から出力される上記第１の左チャンネルのオーディオ信号と、上記第２の変換回路から出力される上記第２の左チャンネルのオーディオ信号と、上記第３の加算回路から出力される上記低域成分の加算オーディオ信号とを加算して左チャンネルのオーディオ信号を出力する第４の加算回路と、
上記第１の変換回路から出力される上記第１の右チャンネルのオーディオ信号と、上記第２の変換回路から出力される上記第２の右チャンネルのオーディオ信号と、上記第３の加算回路から出力される上記低域成分の加算オーディオ信号とを加算して右チャンネルのオーディオ信号を出力する第５の加算回路と
を有し、
上記第１の変換回路の変換処理は、上記第１および第２の加算回路の出力オーディオ信号をヘッドホンにより再生したとき、上記第１および第２の加算回路の出力オーディオ信号を上記第１〜第６のスピーカのうちの上記リスナの左前方および右前方にそれぞれ配置したスピーカに供給したときに得られる再生音場と同等の再生音場が得られるように変換する処理とされ、
上記第２の変換回路の変換処理は、上記オーディオ信号ＳLB、ＳRBを上記ヘッドホンにより再生したとき、上記オーディオ信号ＳLB、ＳRBを上記第１〜第６のスピーカのうちの上記リスナの左後方（あるいは左側方）および右後方（あるいは右側方）にそれぞれ配置したスピーカに供給したときに得られる再生音場と同等の再生音場が得られるように変換する処理とされ、
上記第４および第５の加算回路から出力される上記左および右チャンネルのオーディオ信号を上記ヘッドホンの左および右チャンネルの音響ユニットにそれぞれ供給する
ようにしたオーディオ再生装置。
【請求項２】
入力オーディオ信号が、リスナの周囲に配置された第１〜第６のスピーカにそれぞれ供給されて所定のステレオ再生音場を形成する６チャンネルのオーディオ信号であるとともに、
ＳLF ：上記リスナの左前方チャンネルのオーディオ信号
ＳRF ：上記リスナの右前方チャンネルのオーディオ信号
ＳCF ：上記リスナの中央前方チャンネルのオーディオ信号
ＳLB ：上記リスナの左後方（あるいは左側方）チャンネルのオーディオ信号
ＳRB ：上記リスナの右後方（あるいは右側方）チャンネルのオーディオ信号
ＳLFE：方向感を与えない低域成分のオーディオ信号
であるとき、
上記オーディオ信号ＳCFを上記オーディオ信号ＳLF、ＳRFにそれぞれ加算し、
上記オーディオ信号ＳCFの加算された上記オーディオ信号ＳLF、ＳRFを、第１の変換回路に供給して第１の左および右チャンネルのオーディオ信号に変換して取り出し、
上記オーディオ信号ＳLB、ＳRBを、第２の変換回路に供給して第２の左および右チャンネルのオーディオ信号に変換して取り出し、
この第２の左および右チャンネルのオーディオ信号を、上記第１の変換回路から取り出される上記第１の左および右チャンネルのオーディオ信号にそれぞれ加算し、
上記オーディオ信号ＳLFEを、上記第１の変換回路から取り出される上記第１の左および右チャンネルのオーディオ信号にそれぞれ加算し、
上記オーディオ信号ＳLF、ＳRF、ＳCF、ＳLB、ＳRBから上記オーディオ信号ＳLFEと等しい帯域の低域成分のオーディオ信号を取り出し、
この取り出した低域成分のオーディオ信号を、上記第１の変換回路から取り出される上記第１の左および右チャンネルのオーディオ信号にそれぞれ加算するとともに、
上記第１の変換回路は、この第１の変換回路に供給されるオーディオ信号をヘッドホンにより再生したとき、上記第１の変換回路に供給されるオーディオ信号を上記第１〜第６のスピーカのうちの上記リスナの左前方および右前方にそれぞれ配置したスピーカに供給したときに得られる再生音場と同等の再生音場が得られるように、上記第１の変換回路に供給されるオーディオ信号を変換処理し、
上記第２の変換回路は、この第２の変換回路に供給されるオーディオ信号を上記ヘッドホンにより再生したとき、上記第２の変換回路に供給されるオーディオ信号を上記第１〜第６のスピーカのうちの上記リスナの左後方（あるいは左側方）および右後方（あるいは右側方）にそれぞれ配置したスピーカに供給したときに得られる再生音場と同等の再生音場が得られるように、上記第２の変換回路に供給されるオーディオ信号を変換処理し、
上記第２の左チャンネルのオーディオ信号と、上記オーディオ信号ＳLFEと、上記取り出した低域成分のオーディオ信号とが加算された上記第１の左チャンネルのオーディオ信号を、上記ヘッドホンの左チャンネルの音響ユニットに供給し、
上記第２の右チャンネルのオーディオ信号と、上記オーディオ信号ＳLFEと、上記取り出した低域成分のオーディオ信号とが加算された上記第１の右チャンネルのオーディオ信号を、上記ヘッドホンの右チャンネルの音響ユニットに供給する
ようにしたオーディオ再生方法。
【発明の詳細な説明】
【０００１】
【発明の属する技術分野】
この発明は、多チャンネルオーディオ信号をヘッドホンにより再生するためのオーディオ再生装置に関する。
【０００２】
【従来の技術】
多チャンネルオーディオ信号の１つとして、ＡＣ−３（いわゆるドルビーデジタル）方式における5.1 チャンネルのデジタルオーディオ信号がある。この5.1 チャンネルのデジタルオーディオ信号Ｓ5.1 は、
ＳLF  ：リスナの左前方チャンネルのオーディオ信号
ＳRF  ：リスナの右前方チャンネルのオーディオ信号
ＳCF  ：リスナの中央前方チャンネルのオーディオ信号
ＳLB  ：リスナの左後方（あるいは左側方）チャンネルのオーディオ信号
ＳRB  ：リスナの右後方（あるいは右側方）チャンネルのオーディオ信号
ＳLFE ：例えば120Hz 以下の低域成分のオーディオ信号
を、１つのシリアルデータにエンコードした信号である。
【０００３】
そして、このデジタルオーディオ信号Ｓ5.1 を、例えばＤＶＤにビデオ信号とともに記録した場合には、その映像を再生したとき、映像中の音源と実際に聞こえてくる音像の位置とが一致したり、自然な広がりをもった音場が確立されるなどの効果が得られる。
【０００４】
そして、このデジタルオーディオ信号Ｓ5.1 はスピーカによる再生を基本としているが、ヘッドホンによっても同等の再生音場を再現できるようにしたオーディオ再生装置が考えられている。
【０００５】
すなわち、図３において、符号２００は、そのようなオーディオ再生装置の一例を示し、符号１００はＤＶＤプレーヤを示す。
【０００６】
そして、ＤＶＤプレーヤ１００から5.1 チャンネルのデジタルオーディオ信号Ｓ5.1 が取り出され、このオーディオ信号Ｓ5.1 がオーディオ再生装置２００のデコーダ回路１０に供給されて各チャンネルのデジタルオーディオ信号ＳLF〜ＳLFE がデコードされる。そして、このデコードされたオーディオ信号ＳLF、ＳRFが、加算回路２１、２２を通じて後述する変換回路３Ｆに供給され、オーディオ信号ＳLB、ＳRBが、加算回路２３、２４を通じて変換回路３Ｂに供給される。
【０００７】
また、オーディオ信号ＳCFは、本来はリスナの中央前方に配置したスピーカに供給される信号であるが、この信号ＳCFを左前方および右前方にそれぞれ配置したスピーカに供給しても、同等の効果を得られるので、信号ＳCFは加算回路２１、２２に供給されてオーディオ信号ＳLF、ＳRFに加算される。さらに、オーディオ信号ＳLFE は120Hz 以下の低域信号であり、その再生音は方向感を持たないので、加算回路２１〜２４に供給されて信号ＳLF〜ＳRBにそれぞれ加算される。
【０００８】
また、変換回路３Ｆは、オーディオ信号ＳLF、ＳRFをヘッドホンで再生しても、スピーカで再生した場合と同等の再生音場の得られるオーディオ信号に変換するものである。
【０００９】
すなわち、変換回路３Ｆは、この変換回路３Ｆの出力オーディオ信号ＳLF、ＳRFをヘッドホンに供給したとき、変換前のオーディオ信号ＳLF、ＳRFを、リスナの左前方および右前方にそれぞれ配置したスピーカに供給したときに得られる再生音場と同等の再生音場が得られるように、もとのオーディオ信号ＳLF、ＳRFを処理するものである。
【００１０】
同様に、変換回路３Ｂは、この変換回路３Ｂの出力オーディオ信号ＳLB、ＳRBをヘッドホンに供給したとき、変換前のオーディオ信号ＳLB、ＳRBを、リスナの左後方および右後方にそれぞれ配置したスピーカに供給したときに得られる再生音場と同等の再生音場が得られるように、もとのオーディオ信号ＳLB、ＳRBを処理するものである。なお、変換回路３Ｆ、３Ｂの具体的な構成については、後述する。
【００１１】
そして、変換回路３Ｆからのオーディオ信号ＳLFと、変換回路３Ｂからのオーディオ信号ＳLBとが、加算回路４Ｌにおいて加算されて左チャンネルのデジタルオーディオ信号ＳL とされる。また、変換回路３Ｆからのオーディオ信号ＳRFと、変換回路３Ｂからのオーディオ信号ＳRBとが、加算回路４Ｒにおいて加算されて右チャンネルのデジタルオーディオ信号ＳR とされる。
【００１２】
そして、これらオーディオ信号ＳL 、ＳR が、Ｄ／Ａコンバータ回路５Ｌ、５Ｒに供給されてアナログオーディオ信号ＳL 、ＳR にＤ／Ａ変換され、これらオーディオ信号ＳL 、ＳR が、アンプ６Ｌ、６Ｒを通じてヘッドホン７の左および右チャンネルの音響ユニット（信号／音響変換素子）７Ｌ、７Ｒに供給される。
【００１３】
図４は、変換回路３Ｆの具体例を示す。この変換回路３Ｆは、リスナの左前方および右前方のスピーカからリスナの両耳までの伝達関数を、デジタルフィルタによりオーディオ信号に畳み込んむことにより、上記の変換を実現するものである。
【００１４】
すなわち、加算回路２１、２２からのオーディオ信号ＳLF、ＳRFが、加算回路３１Ｌおよび減算回路３１Ｒに供給されて和信号および差信号が形成され、これら和信号および差信号がデジタルフィルタ３２Ｌ、３２Ｒにそれぞれ供給される。
【００１５】
このデジタルフィルタ３２Ｌ、３２Ｒは、それぞれ、縦続接続された複数段のの遅延回路３２１と、複数の係数回路３２２と、加算回路３２３とを有する。そして、デジタルフィルタ３２Ｌ、３２ＲはＦＩＲ型に構成されているもので、入力信号が遅延回路３２１の初段に供給されて順次遅延され、遅延回路３２１の各段の出力信号が係数回路３２２に供給されて所定の係数が乗算され、この乗算結果の信号が加算回路３２３により互いに加算されてフィルタ出力として取り出される。
【００１６】
そして、このデジタルフィルタ３２Ｌ、３２Ｒの出力信号が、減算回路３３Ｌおよび加算回路３３Ｒに供給されて差信号および和信号が形成され、これら差信号および和信号が、変換回路３Ｆの出力信号ＳLF、ＳRFとして取り出される。
【００１７】
そして、このとき、デジタルフィルタ３２Ｌ、３２Ｒを所定の特性とすることにより、リスナの左前方および右前方のスピーカからリスナの両耳までの頭部伝達関数が、オーディオ信号ＳLF、ＳRFに畳み込まれる。なお、変換回路３Ｂも、変換回路３Ｆと同様に構成することができるので、説明は省略する。
【００１８】
したがって、図３のオーディオ再生装置２００によれば、左前方、中央前方、右前方、左後方および右後方に配置した５個のスピーカと、低域用のスピーカとにより得られる再生音場と同等の再生音場を、ヘッドホン７により再現することができる。
【００１９】
【発明が解決しようとする課題】
ところが、図３のオーディオ再生装置２００の場合、ヘッドホン７から出力される再生音は、低域成分のオーディオ信号ＳLFE によって得られるはずの低音が、不足してしまうことが判明した。そして、この低域不足の理由は、本発明の発明者の考察によると、次のような理由であることも判明した。
【００２０】
すなわち、今、図５に示すように、ダミーヘッドＤHDの右前方30°の位置にスピーカＳＰ30を配置し、このスピーカＳＰ30の再生音をダミーヘッドＤHDの左耳および右耳（マイクロフォン）が聴取したときの周波数特性を測定すると、例えば図６に示すような特性となる。そして、この測定結果からもわかるように、方向感を持たない低音（特に、低域信号ＳLFE に対応する帯域）であっても、左耳の受音レベルは、右耳の受音レベルよりも低下している。
【００２１】
そして、図３の再生装置２００における変換回路３Ｆは、スピーカによる再生音場をヘッドホンにより再現できるようにするため、前方チャンネルの信号ＳLF、ＳRFに対して、この低域レベルの低下も再現している。
【００２２】
したがって、図３の再生装置２００において、低域信号ＳLFE を、加算回路２１〜２４により、各チャンネルのオーディオ信号ＳLF〜ＳRBに加算しても、その加算された低域信号ＳLFE は、変換回路３Ｆによりレベルが低下することになり、その結果、リスナの両耳に達する低音のレベルは低下することになる。
【００２３】
図７は、変換回路３Ｆの周波数特性の測定結果を示す。この測定結果は、図５に示すように、ダミーヘッドＤHDの右前方60°の位置にスピーカＳＰ60を配置し、このスピーカＳＰ60の再生音をダミーヘッドＤHDの左耳および右耳が聴取したときに対応する、変換回路３Ｆの出力信号の周波数特性である。
【００２４】
そして、この測定結果からも明らかなように、変換回路３Ｆは、オーディオ信号ＳLF、ＳRFの低域のレベルを低下させている。そして、変換回路３Ｂについても、同様のことが言える。
【００２５】
したがって、低域信号ＳLFE を、加算回路２１〜２４により、オーディオ信号ＳLF〜ＳRBに加算しても、その加算された低域信号ＳLFE は、変換回路３Ｆ、３Ｂによりレベルが低下することになり、その結果、リスナの両耳に達する低音のレベルは低下することになる。
【００２６】
この発明は、以上のような事柄に基づいて、ヘッドホンにより多チャンネルステレオの再生を行うとき、低域成分のオーディオ信号によって得られる低音が、不足しないようにするものである。
【００２７】
【課題を解決するための手段】
この発明においては、
入力オーディオ信号が、リスナの周囲に配置された第１〜第６のスピーカにそれぞれ供給されて所定のステレオ再生音場を形成する６チャンネルのオーディオ信号であるとともに、
ＳLF ：上記リスナの左前方チャンネルのオーディオ信号
ＳRF ：上記リスナの右前方チャンネルのオーディオ信号
ＳCF ：上記リスナの中央前方チャンネルのオーディオ信号
ＳLB ：上記リスナの左後方（あるいは左側方）チャンネルのオーディオ信号
ＳRB ：上記リスナの右後方（あるいは右側方）チャンネルのオーディオ信号
ＳLFE：方向感を与えない低域成分のオーディオ信号
であるとき、
上記オーディオ信号ＳLF、ＳRFに、上記オーディオ信号ＳCFをそれぞれ加算する第１および第２の加算回路と、
これら第１および第２の加算回路の出力オーディオ信号に所定の変換処理を行って第１の左および右チャンネルのオーディオ信号を出力する第１の変換回路と、
上記オーディオ信号ＳLB、ＳRBに所定の変換処理を行って第２の左および右チャンネルのオーディオ信号を出力する第２の変換回路と、
上記オーディオ信号ＳLF、ＳRF、ＳCF、ＳLB、ＳRBから上記オーディオ信号ＳLFEと等しい帯域の低域成分のオーディオ信号をそれぞれ取り出す第１〜第５のローパスフィルタと、
これら第１〜第５のローパスフィルタの出力オーディオ信号と上記オーディオ信号ＳLFEとを加算して低域成分の加算オーディオ信号を出力する第３の加算回路と、
上記第１の変換回路から出力される上記第１の左チャンネルのオーディオ信号と、上記第２の変換回路から出力される上記第２の左チャンネルのオーディオ信号と、上記第３の加算回路から出力される上記低域成分の加算オーディオ信号とを加算して左チャンネルのオーディオ信号を出力する第４の加算回路と、
上記第１の変換回路から出力される上記第１の右チャンネルのオーディオ信号と、上記第２の変換回路から出力される上記第２の右チャンネルのオーディオ信号と、上記第３の加算回路から出力される上記低域成分の加算オーディオ信号とを加算して右チャンネルのオーディオ信号を出力する第５の加算回路と
を有し、
上記第１の変換回路の変換処理は、上記第１および第２の加算回路の出力オーディオ信号をヘッドホンにより再生したとき、上記第１および第２の加算回路の出力オーディオ信号を上記第１〜第６のスピーカのうちの上記リスナの左前方および右前方にそれぞれ配置したスピーカに供給したときに得られる再生音場と同等の再生音場が得られるように変換する処理とされ、
上記第２の変換回路の変換処理は、上記オーディオ信号ＳLB、ＳRBを上記ヘッドホンにより再生したとき、上記オーディオ信号ＳLB、ＳRBを上記第１〜第６のスピーカのうちの上記リスナの左後方（あるいは左側方）および右後方（あるいは右側方）にそれぞれ配置したスピーカに供給したときに得られる再生音場と同等の再生音場が得られるように変換する処理とされ、
上記第４および第５の加算回路から出力される上記左および右チャンネルのオーディオ信号を上記ヘッドホンの左および右チャンネルの音響ユニットにそれぞれ供給する
ようにしたオーディオ再生装置
とするものである。
したがって、低域成分のオーディオ信号は、レベルが低下することなく、各チャンネルのオーディオ信号に加算される。
【００２８】
まず、この発明の基本となるオーディオ再生装置について説明する。図１において、符号３００は、そのようなオーディオ再生装置の一例を示す。
【００２９】
そして、ＤＶＤプレーヤ１００から5.1 チャンネルのデジタルオーディオ信号Ｓ5.1 が取り出され、このオーディオ信号Ｓ5.1 がオーディオ再生装置３００のデコーダ回路１０に供給されて各チャンネルのデジタルオーディオ信号ＳLF〜ＳLFE がデコードされる。
【００３０】
そして、このデコードされたオーディオ信号ＳLF、ＳRFが、加算回路２１、２２を通じて変換回路３Ｆに供給され、オーディオ信号ＳLB、ＳRBが、そのまま変換回路３Ｂに供給される。また、オーディオ信号ＳCFは、信号ＳCFは加算回路２１、２２に供給されてオーディオ信号ＳLF、ＳRFに加算される。
【００３１】
さらに、変換回路３Ｆ、３Ｂは、例えば図４により説明したように構成され、オーディオ信号ＳLF〜ＳRBは、ヘッドホン７で再生しても、スピーカで再生した場合と同等の再生音場の得られるオーディオ信号に変換される。
【００３２】
そして、加算回路４Ｌにおいて、変換回路３Ｆからのオーディオ信号ＳLFと、変換回路３Ｂからのオーディオ信号ＳLBと、デコーダ回路１０からの低域成分のオーディオ信号ＳLFE とが加算されて左チャンネルのデジタルオーディオ信号ＳL とされる。
【００３３】
また、加算回路４Ｒにおいて、変換回路３Ｆからのオーディオ信号ＳRFと、変換回路３Ｂからのオーディオ信号ＳRBと、デコーダ回路１０からの低域成分のオーディオ信号ＳLFE とが加算されて右チャンネルのデジタルオーディオ信号ＳR とされる。
【００３４】
そして、これらオーディオ信号ＳL 、ＳR が、Ｄ／Ａコンバータ回路５Ｌ、５Ｒに供給されてアナログオーディオ信号ＳL 、ＳR にＤ／Ａ変換され、これらオーディオ信号ＳL 、ＳR が、アンプ６Ｌ、６Ｒを通じてヘッドホン７の左および右チャンネルの音響ユニット７Ｌ、７Ｒに供給される。
【００３５】
したがって、このオーディオ再生装置３００によれば、リスナの左前方、中央前方、右前方、左後方および右後方に配置した５個のスピーカと、低域用のスピーカとにより得られる再生音場と同等の再生音場を、ヘッドホン７により再現することができる。
【００３６】
そして、この場合、低域成分のオーディオ信号ＳLFE は、変換回路３Ｆ、３Ｂを通じることなくオーディオ信号ＳLF〜ＳRBに加算されるので、そのレベルが変換回路３Ｆ、３Ｂの特性により低下することがなく、したがって、低域信号ＳLFE による低音を本来のレベルで出力することができる。
【００３７】
しかも、そのための構成は、低域信号ＳLFEを加算回路４Ｌ、４Ｒに供給するだけでよく、変換回路３Ｆ、３Ｂに特別の特性を追加する必要がない。
ただし、オーディオ再生装置３００を上述のように構成した場合、図３のオーディオ再生装置２００において、低域成分のオーディオ信号ＳLFEのレベルが変換回路３Ｆ、３Ｂにより低下したのと同様の理由により、オーディオ信号ＳLF〜ＳRBに含まれる低域成分のレベルが変換回路３Ｆ、３Ｂにより低下してしまう。
そこで、この発明においては、低域成分ＳLFEのレベルの低下を防ぐとともに、さらに、オーディオ信号ＳLF〜ＳRBに含まれる低域成分のレベルのレベルの低下をも防止するものである。
【００３８】
図２は、この発明によるオーディオ再生装置の一例を示し、この再生装置３００においては、オーディオ信号ＳLF〜ＳRBに含まれる低域成分についても、変換回路３Ｆ、３Ｂによりレベルが低下しないようにしたものである。
【００３９】
すなわち、デコーダ回路１０から出力されるオーディオ信号ＳLF〜ＳRBが、図１の再生装置３００と同様に後段の回路に供給されるとともに、デコーダ回路１０から出力される低域信号ＳLFE が加算回路８６を通じて加算回路４Ｌ、４Ｒに供給される。
【００４０】
さらに、デコーダ回路１０から出力されるオーディオ信号ＳLF〜ＳRBが、ローパスフィルタ８１〜８５に供給されて低域信号ＳLFE と等しい帯域の低域成分のオーディオ信号が取り出され、この信号が加算回路８６に供給されて低域信号ＳLFE に所定のレベルあるいは割り合いで加算される。
【００４１】
したがって、デジタルオーディオ信号Ｓ5.1 のうちのオーディオ信号ＳLF〜ＳRBに含まれる低域成分についても、変換回路３Ｆ、３Ｂによりレベルの低下することが防止される。
【００４２】
なお、上述において、変換回路３Ｆ、３Ｂは、ＤＳＰにより構成することができる。また、そのＤＳＰに、加算回路２１、２２、４Ｌ、４Ｒを含ませることもできる。
【００４３】
さらに、デコーダ回路１０からの低域信号ＳLFE を加算回路４Ｌ、４Ｒに供給するとき、遅延回路により変換回路３Ｆ、３Ｂにおける遅延時間と等しい遅延を与えておくこともできる。また、低域信号ＳLFE を加算回路４Ｌ、４Ｒに供給するとき、そのレベルを例えば大きくすれば、低域の増強を行うことができる。
【００４４】
さらに、再生装置３００と、ヘッドホン７との間をワイヤレス化することもできる。そして、その場合には、例えば、再生装置３００においては、Ｄ／Ａコンバータ回路５Ｌ、５Ｒから出力されるオーディオ信号ＳL 、ＳR をＦＭ信号に変換し、そのＦＭ信号を赤外線をキャリアとして送信し、ヘッドホン７においては、その赤外線を受光してＦＭ信号を得、このＦＭ信号からもとのオーディオ信号ＳL 、ＳR を復調すればよい。
【００４５】
また、上述においては、多チャンネルオーディオ信号が、ＡＣ−３方式における5.1 チャンネルのデジタルオーディオ信号の場合であるが、多チャンネルのオーディオ信号の１つが、低域成分のオーディオ信号の場合であれば、この発明を適用することができる。さらに、その多チャンネルのオーディオ信号の伝送方法およびその伝送するための媒体について、特に問わない。例えば、ＤＳＢであってもよい。
【００４６】
この明細書で使用している略語の一覧
Ｄ／Ａ：Digital to Analog
ＤＳＢ：Digital Sound Broadcasting；デジタル音声放送
ＤＳＰ：Digital Signal Processor
ＤＶＤ：Digital Versatile Disc
ＦＭ  ：Frequency Modulation；周波数変調
【００４７】
【発明の効果】
この発明によれば、スピーカにより得られる多チャンネルステレオの再生音場と同等の再生音場をヘッドホンにより再現することができる。そして、その場合、低域成分のオーディオ信号による低音を本来のレベルで出力することができる。しかも、そのために、特別の回路を追加する必要がない。
【図面の簡単な説明】
【図１】  この発明の基本となる装置の一例を示す系統図である。
【図２】  この発明の一形態を示す系統図である。
【図３】  この発明を説明するための系統図である。
【図４】  この発明に使用できる回路の一形態を示す系統図である。
【図５】  この発明を説明するための平面図である。
【図６】  この発明を説明するための特性図である。
【図７】  この発明を説明するための特性図である。
【図１】
0004300380.tif 000002
【図２】
0004300380.tif 000003
【図３】
0004300380.tif 000004
【図４】
0004300380.tif 000005
【図５】
0004300380.tif 000006
【図６】
0004300380.tif 000007
【図７】
0004300380.tif 000008